(57)【特許請求の範囲】
【請求項１】
回転軸を有する加工工具であって、
上部と側壁と底部とを含む略円錐台状の工具本体を備え、
前記底部に、複数の貫通孔が形成されており、
前記複数の貫通孔のうちの１以上の貫通孔は、前記上部側に位置する第１の開口部と、前記底部側に位置する第２の開口部とを備え、前記第１の開口部が前記第２の開口部に比べて前記加工工具の回転方向のより前方の位置に位置するように、前記１以上の貫通孔は傾斜するように構成されており、
前記側壁の上面には、前記回転軸に対して半径方向外側に向かって放射状に拡がる複数の溝が形成されている、加工工具。
【請求項２】
前記側壁の外周を囲むように前記工具本体に設けられた周壁をさらに備える、請求項１に記載の加工工具。
【請求項３】
前記周壁は、前記側壁を囲む周壁本体と、前記周壁本体の上部に前記回転軸側に突出するように設けられたフランジとを有する、請求項２に記載の加工工具。
【請求項４】
前記溝の深さは、前記回転軸の半径方向に遠ざかるほど浅くなるように構成されている、請求項１〜３のいずれか一項に記載の加工工具。
【請求項５】
前記底部に設けられた少なくとも１つの加工部材をさらに備える、請求項１〜４のいずれか一項に記載の加工工具。
【請求項６】
被加工物を加工する加工装置であって、
請求項１〜５のいずれか一項に記載の加工工具と、
前記加工工具を回転駆動する駆動部と、
前記側壁の上面に液体を供給する液体供給部と
を備えた加工装置。
【請求項７】
前記加工工具を覆う集塵カバーをさらに備えた請求項６に記載の加工装置。
【請求項８】
請求項６または７に記載の加工装置を用いて、アスベスト、コンクリート、モルタル、アスファルト、レンガ、セメント、石材およびそれらの複合材料からなる群から選択される材料を含む前記被加工物を加工することを含む、加工方法。
【発明の詳細な説明】
【技術分野】
【０００１】
本発明は、被加工物に対する加工を行うための加工工具およびその加工工具を用いた加工装置に関するものである。
【背景技術】
【０００２】
従来より、被加工物に対する加工を行うための加工工具を備えた加工装置として、例えば、特許文献１などに開示のサンダー刃を備えた塗膜剥離装置が知られている。この塗膜剥離装置は、加工屑を加工場から除去するエアー集塵装置を備えている。
【先行技術文献】
【特許文献】
【０００３】
【特許文献１】特開２０００−２０２７７７号公報
【発明の概要】
【発明が解決しようとする課題】
【０００４】
ところが、上記の塗膜剥離装置では、加工屑の集塵能力に限界があった。
【０００５】
本発明は、被加工物を加工したときの加工屑を効果的に加工場から除去可能な加工工具およびその加工工具を用いた加工装置を得ることを目的とする。
【課題を解決するための手段】
【０００６】
本発明は以下の項目を提供する。
（項目１）
回転軸を有する加工工具であって、
上部と側壁と底部とを含むカップ形状の工具本体を備え、
前記側壁に、複数の貫通孔が形成されており、
前記複数の貫通孔のうちの１以上の貫通孔は、前記上部側に位置する第１の開口部と、前記底部側に位置する第２の開口部とを備え、前記底部側に比べて前記上部側ほど前記加工工具の回転方向のより前方の位置に位置するように傾斜するように構成されている、加工工具。
（項目２）
前記側壁は、略円錐台形状を有する、項目１に記載の加工工具。
（項目３）
前記側壁の外周を囲むように前記工具本体に設けられた周壁をさらに備える、項目１または２に記載の加工工具。
（項目４）
前記周壁は、前記側壁を囲む周壁本体と、前記周壁本体の上部に前記回転軸側に突出するように設けられたフランジとを有する、項目３に記載の加工工具。
（項目５）
前記側壁の上面には、前記回転軸に対して半径方向外側に向かって放射状に拡がる複数の溝が形成されている、項目１〜４のいずれか一項に記載の加工工具
（項目６）
前記溝の深さは、前記回転軸の半径方向に遠ざかるほど浅くなるように構成されている、項目５に記載の加工工具。
（項目７）
前記底部に設けられた少なくとも１つの加工部材をさらに備える、項目１〜６のいずれか一項に記載の加工工具。
（項目８）
被加工物を加工する加工装置であって、
項目１〜７のいずれか一項に記載の加工工具と、
前記加工工具を回転駆動する駆動部と、
前記側壁の上面に液体を供給する液体供給部と
を備えた加工装置。
（項目９）
前記加工工具を覆う集塵カバーをさらに備えた項目８に記載の加工装置。
（項目１０）
前記被加工物は、アスベスト、コンクリート、モルタル、アスファルト、レンガ、セメント、石材およびそれらの複合材料からなる群から選択される材料を含む、項目８または９に記載の加工装置。
（項目１１）
項目８〜１０のいずれか一項に記載の加工装置を用いて前記被加工物を加工することを含む、加工方法。
【発明の効果】
【０００７】
本発明によれば、被加工物を加工したときの加工屑を効果的に加工場から除去可能な加工工具およびその加工工具を用いた加工装置を得ることができる。
【図面の簡単な説明】
【０００８】
【図１】図１は、本発明の実施形態１による加工工具１００の外観を示す斜視図である。
【図２】図２は、図１に示す加工工具１１０の具体的な構造を示す図であり、図１に示す加工工具１００を紙面上方から見た構造を示している。
【図３】図３は、図１に示す加工工具１００の具体的な構造を示す図であり、図１に示す加工工具１００を紙面下方から見た構造を示している。
【図４】図４は、図１に示す加工工具１００を用いた加工装置１を模式的に示す斜視図である。
【図５】図５は、図４に示す加工装置１のより具体的な構造を説明するための図である。
【図６】図６は、図４に示す加工装置１の加工工具１００を回転させながら加工工具に液体を供給したときの加工工具１００での液体の流れを説明するための斜視図である。
【図７】図７は、図４に示す加工装置１により被加工物Ｐを加工する様子を示す斜視図である。
【発明を実施するための形態】
【０００９】
以下、本発明を説明する。本明細書において使用される用語は、特に言及しない限り、当該分野で通常用いられる意味で用いられることが理解されるべきである。したがって、他に定義されない限り、本明細書中で使用される全ての専門用語および科学技術用語は、本発明の属する分野の当業者によって一般的に理解されるのと同じ意味を有する。矛盾する場合、本明細書（定義を含めて）が優先する。
【００１０】
本明細書において、「加工」とは、研削、研磨、切削など、被加工物の表面を除去する処理のことをいう。
【００１１】
本明細書において、「約」とは、後に続く数字の±１０％の範囲内をいう。
【００１２】
本発明は、被加工物を加工したときの加工屑を効果的に加工場から除去可能な加工工具を得ることを課題とし、
回転軸を有する加工工具であって、
上部と側壁と底部とを含むカップ形状の工具本体を備え、
側壁に複数の貫通孔が形成されており、
複数の貫通孔のうちの１以上の貫通孔は、上部側に位置する第１の開口部と、底部側に位置する第２の開口部とを備え、底部側に比べて上部側ほど加工工具の回転方向のより前方の位置に位置するように傾斜するように構成されている、加工工具を提供することにより、上記の課題を解決したものである。
【００１３】
このような構成の加工工具では、加工工具の側壁上に供給された液体は、工具本体の側壁に形成された貫通孔を介して工具本体の内側に流れ込む。また、この貫通孔は、上部側に位置する第１の開口部と、底部側に位置する第２の開口部とを備え、底部側に比べて上部側ほど加工工具の回転方向のより前方の位置に位置するように傾斜しているので、工具本体の側壁の上面に供給された液体は、加工工具の回転により貫通孔に勢いよく流れ込むこととなり、これにより工具本体と被加工物との間で液体が勢いよく流れる。その結果、被加工物と加工刃などの加工部材との接触部分で生ずる加工屑が、被加工物と加工部材との間を流れる液体により効果的に加工場から除去されることとなり、加工屑による加工部材の加工能力の低下を抑制することができる。
【００１４】
従って、本発明の加工工具は、カップ形状の工具本体を備え、工具本体を構成する側壁に複数の貫通孔が形成され、複数の貫通孔のうちの１以上の貫通孔が、上部側に位置する第１の開口部と、底部側に位置する第２の開口部とを備え、底部側に比べて上部側ほど加工工具の回転方向のより前方の位置に位置するように傾斜しているもの（第１の貫通孔）であれば、その他の構成は、特に限定されるものではなく、任意であり得る。
【００１５】
（工具本体）
工具本体は、加工装置に被加工物を加工する加工部材を取り付けるためのものであって、加工装置の回転軸に装着される上部と、加工部材を取り付けるための底部と、上部と底部とを接続する周壁とを備える。ここで、カップ形状の工具本体は、底部が開口した中空体であればよい。従って、カップ形状の工具本体の側壁部分は、円筒体でも多角形の筒体でもよく、具体的には円錐台形状あるいは角錐台形状の筒体でもよい。
【００１６】
さらに、カップ形状の工具本体の側壁に形成されている液体が通過可能な複数の貫通孔の配置、個数、サイズおよび形状は特に限定されるものではなく、任意であり得る。貫通孔の形状は、例えば、略円形、略楕円形、略矩形などである。
【００１７】
好ましくは、複数の貫通孔の配置は、工具本体の回転軸の軸回りに所定の間隔を持って設けられる。このようにすることで工具本体の全体に対して略均一に液体を供給することが可能となる。ただし、本発明はこれに限定されない。例えば、複数の貫通孔は異なる間隔を持って配置されていてもよい。また、貫通孔は工具本体底面に設けられる加工部材の近傍に設けるのが好ましい。そのようにすることにより、より効率的に加工場の冷却を行うことが可能となる。
【００１８】
また、好ましくは、複数の貫通孔のうち少なくとも１つの貫通孔の配置は、周壁と前記側壁との結合部近傍に設けられている。このようにすることにより貫通孔を通過した液体が加工工具（特に加工部材）近くに供給することが可能となり、より効果的に加工熱の冷却を行うことが可能となる。さらに、加工屑に対して効果的に液体を供給することができ、加工屑の飛散をより効果的に防ぐことも可能となる。さらに好ましくは、貫通孔は加工部材の近傍に設ける。加工部材の近傍に設けることによりさらに、工具本体だけでなく加工部材を効率的に冷却することが可能となる。
【００１９】
さらに、複数の貫通孔は、上述した１以上の第１の貫通孔に加えて、第１の貫通孔とは傾斜方向が異なる他の１以上の貫通孔（第２の貫通孔）を含んでいてもよい。例えば、第２の貫通孔は、上部側に位置する第１の開口部と、底部側に位置する第２の開口部とを備え、第１の開口部の位置が第２の開口部の位置よりも回転軸から離間した位置となるように傾斜した構造となっていてもよい。複数の貫通孔（第１の開口部の位置が第２の開口部の位置よりも回転軸から離間した位置となるように傾斜するものおよび／または第１の開口部の位置が第２の開口部の位置よりも加工工具の回転方向の前方側に位置するように傾斜するもの）の大きさは任意であり得る。例えば、貫通孔の大きさはφ約２ｍｍ〜φ約５ｍｍである。しかし、貫通孔の大きさは所望の液体供給量および／回転速度との関係で適宜調整され得るものであって、貫通孔の大きさは上記数値範囲に限定されない。１つの実施形態において、約１２０００ｒｐｍの加工工具において、貫通孔の大きさはφ約３ｍｍである。
【００２０】
また、工具本体の側壁の上面には、回転軸に対して半径方向外側に向かって放射状に拡がる複数の溝が形成されていてもよい。この場合、溝の深さは、回転軸の半径方向に遠ざかるほど浅くなるように構成されていてもよいし、あるいは、溝の全体に渡って一定であってもよい。
【００２１】
一方、工具本体の側壁の上面は、凸凹のない滑らかな曲面形状であってもよい。
【００２２】
（加工部材）
さらに、工具本体の底部は、被加工物に対する加工が可能な構造を有するものであれば特に限定されるものではない。
【００２３】
例えば、工具本体の底部には、被加工物を加工する加工部材が１以上取り付けられていてもよい。ここで、加工部材は、被加工物の表面の加工を行うための部材であればどのようなものでもよく、例えば、加工部材は、研削、切断、剥離などを行う砥石であっても良いし、切削、切断、剥離などを行う加工刃（カッター）であってもよいし、研磨、剥離などを行うウレタンなどの柔軟な素材からなる研磨パッドであってもよい。
【００２４】
また、また、底部に設ける加工部材の配置、形状や個数などは任意であり得る。
【００２５】
（被加工物）
被加工物は、表面が加工されるものであれば特に限定されるものではないが、例えば、被加工物は、アスベスト、コンクリート、モルタル、アスファルト、レンガ、セメント、石材およびそれらの複合材料からなる群から選択される材料を含むものでもよい。また、被加工物は、下地部材と、下地部材の表面を被覆する表面被覆材とを有するものでもよい。この場合、下地部材は、鋼鉄製部材あるいはコンクリート製部材などの構造物の骨格となる部材であり、表面被覆材は、アスベスト、モルタル、アスファルト、レンガ、石材およびそれらの複合材料からなる群から選択される材料で構成されていてもよい。
【００２６】
（周壁）
さらに、上述した加工工具は、工具本体の側壁の外周を囲むように工具本体に設けられた周壁を有することが好ましい。このように工具本体の側壁の外周を囲む周壁が存在することで、工具本体の側壁と周壁との間に液体が溜まる領域が形成することができる。その結果、工具本体の側壁上に供給された液体がこの溝に貯えられることで工具本体から流れ落ちにくくなり、側壁に形成された貫通孔に効率よく流入可能となるからである。なお、加工工具の構造の簡略化を優先する場合は、加工工具は周壁を有さない構造であってもよい。
【００２７】
ここで、周壁は、工具本体の側壁の外周を囲むように工具本体に設けられたものであれば、その他の構成は限定されず、任意であり得る。
【００２８】
例えば、周壁は、工具本体の側壁を囲む周壁本体と、周壁本体の上部に回転軸側に突出するフランジとを有するものでもよいし、フランジを有さず、周壁本体のみを有するものでもよい。また、周壁本体は、工具本体の側壁を囲むものであれば、周壁本体の形状は限定されるものではなく、任意であり得る。例えば、周壁の形状は円筒体であってもよいし、中空の円錐台形状であってもよい。フランジを設けることによって、加工工具の外部に液体が流れにくくなり、より効果的に工具本体の側壁と周壁との間に液体を溜めることが可能となる。
【００２９】
さらに、上述した加工工具は、加工装置に装着して用いられるものであり、加工装置は、上述した加工工具と、加工工具を回転駆動する駆動部と、側壁の上面に液体を供給する液供給部とを有するものであれば、その他の構成は特に限定されるものではない。周壁（例えば、周壁本体における）の高さは任意であり得る。ここで、周壁の高さとは、周壁（具体的には周壁本体）と側壁の上面とが当接する部分からの高さを意味する。例えば、周壁の高さは約５ｍｍ以上である。約５ｍｍ以上ですることで、側壁の上面（特に、後述する線状溝）から流れる液体が、加工工具の回転中に遠心力によって周壁と側壁の上面とで形成される領域に液体を溜めることが可能となる。１つの実施形態において、周壁本体の高さは約２５ｍｍ、周壁本体と側壁の上面とが当接する部分からの高さは約１０ｍｍである。
【００３０】
（駆動部）
駆動部は、加工工具を回転させるものであればよく、具体的な構成は限定されるものではなく任意であり、また、駆動部の動力も任意であり得る。例えば、駆動部の動力は電力であってもよいし、圧縮空気などで気体の圧力あってもよい。これにより、駆動部により加工工具を回転させることが可能となり、加工装置を手動の工具としてではなく、電動工具あるいはエアー工具などの動力工具として利用することが可能となる。
【００３１】
（液供給部）
さらに、液供給部もその構成が限定されるものではなく任意であり、例えば、水道管に接続された液供給管であってもよいし、貯水部から液体を汲み上げるポンプに接続された液供給管であってもよい。
【００３２】
さらに、加工装置は、加工屑の飛散防止という観点からは、加工工具を覆う集塵カバーをさらに備えたものでもあることが好ましいが、集塵カバーの構成は限定されず任意である。
【００３３】
（集塵カバー）
集塵カバーは、加工工具を覆う部材であって、加工工具による被加工物を加工した後の加工屑を外部に飛散しないようすることが達成できれば、その形状などは任意であり得る。
【００３４】
集塵カバーの形状は、例えばカップ形状であり、より具体的には、円筒体あるいは多角形の筒体などの筒状体の一端側開口を平板で閉塞した構造でもよいし、中空の球体の一部をなす形状でもよい。
【００３５】
また、集塵カバーは、加工装置の筐体に取り付けられた内側カバーと、内側カバーを囲む外側カバーとを備え、カバー支持機構により外側カバーを内側カバーに対して加工工具の回転軸の方向にスライド可能に支持するようにしたものでもよい。この場合、外側カバーは内側カバーに対して相対的に加工工具の回転軸方向にスライドするので、被加工物の作業中の何かの弾みで内側カバーが加工装置の筐体とともに被加工物の表面から浮き上がっても、外側カバーは被加工物の表面に接した状態を維持することができ、加工屑の飛散を防止することが可能である。
【００３６】
また、好ましくは、集塵カバーは、集塵カバー内に液体を供給する液供給部および／または集塵カバー内の加工屑や液体を外部に排出するための加工屑排出部を有している。
【００３７】
ここで、液供給部および／または加工屑排出部はカップ形状の集塵カバーの上部に取り付けられていてもよいし、あるいはカップ形状の集塵カバーの周壁に取り付けられていてもよい。さらに、液供給管はカップ形状の集塵カバーの上部に取り付けられ、屑排出管はカップ形状の集塵カバーの周壁に取り付けられていてもよいし、あるいは、液供給管はカップ形状の集塵カバーの周壁に取り付けられ、屑排出管はカップ形状の集塵カバーの上部に取り付けられていてもよい。
【００３８】
また、液供給部および／または加工屑排出部は、集塵カバーではなく、加工装置の筐体に設けてもよい。
【００３９】
上述したように、本発明の加工工具は、カップ形状の工具本体を備え、工具本体を構成する側壁に複数の貫通孔が形成され、複数の貫通孔のうちの１以上の貫通孔が、上部側に位置する第１の開口部と、底部側に位置する第２の開口部とを備え、底部側に比べて上部側ほど加工工具の回転方向のより前方の位置に位置するように傾斜しているもの（第１の貫通孔）であれば、その他の構成は限定されるものではないが、以下の実施形態では、本発明の加工工具の一例としてより具体的な構造を有する加工工具を挙げる。
【００４０】
特に、実施形態で挙げる加工工具は、円錐台形状の筒体からなる側壁を含むカップ形状の工具本体と、工具本体の側壁を囲むように設けられた周壁とを有し、工具本体の側壁には複数（３個）の貫通孔（第１の貫通孔）が側壁の周方向に沿って均等な間隔で並ぶように設けられている。ここで、第１の貫通孔は、工具本体の上部側に位置する第１の開口部と、工具本体の底部側に位置する第２の開口部とを備え、底部側に比べて上部側ほど加工工具の回転方向のより前方の位置に位置するように傾斜した構造となっていることは言うまでもない。
【００４１】
以下、本発明の実施形態について図面を参照しながら説明する。
【００４２】
（実施形態１）
図１は、本発明の実施形態１による加工工具１００の外観を示す斜視図であり、図１（ａ）は、加工工具１００の全体を示し、図１（ｂ）は、図１（ａ）のＡ部分の拡大図である。
【００４３】
〔加工工具１００〕
実施形態１の加工工具１００は、被加工物Ｐの表面を加工する工具であって、回転軸Ａｒを有し、加工装置１に取り付けて回転させるものである（図４参照）。この加工工具１００は、上部１１０ａと側壁１１０ｂと底部１１０ｃとを含むカップ形状の工具本体１１０と、側壁１１０ａの外周を囲むように工具本体１１０に設けられた周壁１２０とを備え、側壁１１０ｂには複数の貫通孔１０２ａが形成されている。
【００４４】
以下、加工工具１００を詳しく説明する。
【００４５】
図２および図３は、図１に示す加工工具１１０の具体的な構造を示す図であり、図２（ａ）は、図１に示す加工工具１１０を紙面上方から見た構造を示す平面図、図２（ｂ）は、図２（ａ）の２Ａ−２Ａ線断面図、図２（ｃ）は、図２（ａ）の２Ｂ−２Ｂ線断面図であり、図３（ａ）は、図１に示す加工工具１００を紙面下方から見た構造を示す平面図、図３（ｂ）は、図３（ａ）の３Ａ−３Ａ線断面図である。
【００４６】
ここで、工具本体１１０を構成する上部１１０ａは、略円板形状の部分であり、工具本体１１０を構成する側壁１１０ｂは、上部１１０ａにつながる略円錐台形状の筒体部分であり、工具本体１１０を構成する底部１１０ｃは、側壁１１０ｂの下端に繋がる環状板部であり、この底部１１０ｃの裏面には複数の加工刃１３０が取り付けられている。
【００４７】
そして、側壁１１０ｂには、１以上（ここでは３個）の貫通孔（第１の貫通孔）１０２ａが形成され、これら３個の貫通孔１０２ａが回転軸Ａｒを中心とする１つの円周上に均等な間隔で配置されている。
【００４８】
ここで、それぞれの貫通孔１０２ａは、図１（ｂ）および図２（ｃ）に示すように、側壁１１０ｂの上面側（上部側）に位置する第１の開口部２ａ１と、側壁１１０ｂの下面側（底部側）に位置する第２の開口部２ａ２とを有し、貫通孔１０２ａの底部側の部分に比べて貫通孔１０２ａの上部側の部分ほど加工工具１００の回転方向Ｄｒのより前方の位置に位置するように傾斜した構造となっている。従って、貫通孔１０２ａでは、第１の開口部２ａ１の位置が第２の開口部２ａ２の位置よりも加工工具１００の回転方向Ｄｒのより前方の位置に位置している。
【００４９】
工具本体１１０の側壁１１０ｂは、上部側に対して底部側が拡がる略円錐台形状を有している。側壁１１０ｂの上面には、複数の線状溝１０１ｂが回転軸Ａｒから半径方向外側に向かって延びように放射状に形成されており、これらの線状溝１０１ｂは回転軸Ａｒの周りに等間隔で配置されている。この線状溝１０１ｂの深さは、回転軸Ａｒから遠ざかるほど浅くなるように構成されている。なお、この線状溝１０１ｂは、その内部で均一な深さを有するものでもよい。
【００５０】
また、工具本体１１０に設けられている周壁１２０は、工具本体１１０の側壁１１０ｂを囲む円筒状の周壁本体１２０ａと、周壁本体１２０ａの上端部に回転軸Ａｒ側に突出するように設けられたフランジ（環状庇部）１２０ｂとを有する。なお、周壁１２０は、必ずしもフランジ１２０ｂを有するものである必要はなく、周壁本体のみを有するものでもよいが、フランジ１２０ｂを有することで、加工工具１００の側壁１１０ｂと周壁１２０との間に形成される溝に溜まった水が遠心力で周壁を乗り越えにくくすることができる。
【００５１】
工具本体１１０の底部１１０ｃの下面（底部１１０ｃのうちの被加工物Ｐに対向する面）には、加工部材として、チップ状の加工刃１３０が固定されている。具体的には、加工刃１３０は、底部１１０ｃを構成する環状板部の裏面（被加工物Ｐに対応する面）の３箇所に均等に分散させて配置されており、各箇所には３つの加工刃１３０が隣接するように配置されている（図３（ａ）参照）。
【００５２】
ここで、加工刃１３０は、研削、切断砥石、剥離などを行う砥石である。なお、加工刃１３０は、切削、切断、剥離などを行う加工刃（カッター）であってもよいし、研磨、剥離などを行うウレタンなどの柔軟な素材からなる研磨パッドであってもよい。
【００５３】
なお、工具本体１１０の上部１１０ａの中央には工具固定孔１０３が形成されている。この工具固定孔１０３は、加工工具１００を加工装置１の駆動部１０の工具取付シャフト１２ｂ（図４参照）に固定するための孔である。
【００５４】
〔加工装置１〕
図４は、図１に示す加工工具１００を用いた加工装置１を模式的に示す斜視図である。
【００５５】
この加工装置１は、被加工物Ｐを加工する加工工具１００と、加工工具１００を覆う集塵カバー２００と、集塵カバー２００の内部に液体（例えば、水）を供給する液供給管２１０と、加工屑を液体とともに集塵カバー２００の内部から排出する屑排出管２２０と、加工工具１００を回転駆動する駆動部１０とを備えている。ここで、加工工具１００は、図１〜図３を用いて説明した加工工具１００である。
【００５６】
（被加工物Ｐ）
被加工物Ｐは、建造物の柱部材であり、下地部材である鋼材の表面に表面被覆材としてアスベストを塗布したものである。ただし、被加工物Ｐは、このような建造物の柱部材に限定されず、建造物の壁部材、天井部材、あるいは床部材であってもよく、被加工物Ｐの下地部材は、鋼材に限定されず、コンクリート材であってもよく、表面被覆材はアスベストに限定されず、塗料、モルタル、アスファルト、レンガ、セメント、石材およびそれらの複合材料からなる群から選択される材料であってもよい。
【００５７】
（駆動部１０）
駆動部１０は、モータ部１１とギヤ部１２とを含む。モータ部１１は、回転力を発生する電動モータ１１ａを有し、ギヤ部１２は、電動モータ１１ａのモータシャフト１１ｂの回転速度を減速する第１のギア部１２ａと、第１のギア部１２ａの出力シャフト１２ｃの回転軸の方向を、工具取付シャフト１２ｄの回転軸の方向に変換する第２のギア部１２ｂとを有する。モータ部１１およびギア部１２は、加工装置１の装置筐体１ａ内に収容されており、ギア部１２を構成する工具取付シャフト１２ｄの一端側が装置筐体１ａから突出している。
【００５８】
（集塵カバー２００）
集塵カバー２００は、工具取付シャフト１２ｄおよび加工工具１００を囲むように装置筐体１ａの一端側（工具取付シャフト１２ｄ側）に取付部材２０１ａにより取り付けられている。集塵カバー２００には、水を集塵カバー２００内に供給する液供給管２１０が接続され、さらに、加工屑を水とともに集塵カバー２００から排出するための屑排出管２２０が接続されている。
【００５９】
以下、集塵カバー２００のより具体的な構造を説明する。
【００６０】
図５は、図４に示す加工装置１のより具体的な構造を説明するための図であり、図５（ａ）は、図４に示す加工装置１を紙面の上方から見た構造を示す平面図、図５（ｂ）は、加工工具１００の下端が加工装置１の集塵カバーの下端より浮き上がっている状態を示す５Ａ−５Ａ線断面図、図５（ｃ）は、加工装置１の集塵カバーの下端と加工工具１００の下端とが一致している状態を示す５Ａ−５Ａ線断面図である。
【００６１】
集塵カバー２００は、カップ状の内側カバー２００ａと、環状の外側カバー２００ｂと、カバー支持機構２００ｃとを有する。
【００６２】
内側カバー２００ａは、加工工具１００を囲むように装置筐体１ａに固定されており、外側カバー２００ｂは、内側カバー２００ａの周囲を囲むように配置されており、カバー支持機構２００ｃは、外側カバー２００ｂを内側カバー２００ａに対して、加工工具１００の回転軸Ａｒの方向にスライド可能に支持している。
【００６３】
ここで、カバー支持機構２００ｃは、支持プレート２０１と、固定ボルト２０２と、座金付の固定ナット２０３と、付勢ばね２０４とを含む。支持プレート２０１は外側カバー２００ｂの上面に固定されている。内側カバー２００ａの上面に固定されている固定ボルト２０２は、支持プレート２０１の挿通孔（図示せず）に支持プレート２０１が上下移動可能となるように挿通されている。固定ボルト２０２には、付勢ばね２０４が装着され、さらに、固定ボルト２０２には、付勢ばね２０４が支持プレート２０１を下方側（被加工物Ｐ側）に付勢するように固定ナット２０３が装着されている。
【００６４】
また、内側カバー２００ａの上面部には液供給管２１０の一端が取り付けられ、外側カバー２００ｂの上面部には屑排出管２２０の一端が取り付けられている。ここで、液供給管２１０は、図２（ｂ）に示すように、その一端側の開口が工具本体１１０の側壁１１０ｂの上面に近接するように配されている。液供給管２１０の他端は、水道管を接続するための供給管ジョイント部２１０ａとなっており、屑排出管２２０の他端は、集塵装置につながるホース３に接続するための排出管ジョイント部２２０ａとなっている（図４参照）。
【００６５】
なお、装置筐体１ａには、図５に示すように、作業者が装置筐体１ａを持つための持ち手１ｂが取り付けられていてもよいが、持ち手１ｂは特に設けられていなくてもよい。
【００６６】
次に加工工具１００を装着した加工装置１の動作を説明する。
【００６７】
図６は、図４に示す加工装置１の加工工具１００を回転させながら加工工具１００に水を供給したときの加工工具１００での液体の流れを説明するための斜視図であり、図７は、図４に示す加工装置１により被加工物Ｐを加工する様子を模式的に示す斜視図である。
【００６８】
加工装置１の液供給管２１０のジョイント部２１０ａに水道管２などの水配管を接続し、屑排出管２２０のジョイント部２２０ａに、集塵装置（図示せず）の吸引口に接続されているホース３を接続し、被加工物Ｐの基材Ｐｂの表面に固着されているアスベストなどの塗装材料Ｐａを剥離する作業を開始する。
【００６９】
まず、加工装置１の電源を入れて駆動部１０の電動モータ１１ａにより加工工具１００を回転させ、同時に、集塵装置（図示せず）の電源を入れて、ホース３により集塵装置に繋がる屑排出管２２０から集塵カバー２００内の空気を吸引し、かつ、液供給管２１０に繋がる水道管２から水を集塵カバー２００内に供給する。
【００７０】
この状態で、加工工具１００の研削砥石などの加工部材１３０が被加工物Ｐの表面に接触するように加工装置１を被加工物Ｐに押し付けつつ、加工装置１を図７の矢印Ｘに示すように移動させると、被加工物Ｐの基材Ｐｂの表面に固着されている塗装材料Ｐａが回転する加工工具１００の加工部材１３０により削り取られる。
【００７１】
このとき、加工工具１００を覆う集塵カバー２００内には液供給管２１０から水が供給されている。具体的には、液供給管２１０から吐出した水は、工具本体１１０の側壁１１０ｂ上に落下する。この側壁１１０ｂには線状溝１０１ｂが形成されていることから、工具本体１１０の側壁１１０ｂ上に落下した水は線状溝１０１ｂ内に一旦収容され、線状溝１０１ｂに収容された水は、線状溝１０１ｂと共に回転することで遠心力を受けて側壁１１０ｂを囲む周壁１２０側に移動する。この線状溝１０１ｂ内に収容された水の周壁１２０側への移動は、線状溝１０１ｂの深さが回転軸Ａｒから離れるほど浅くなっていることによりスムーズに行われる。
【００７２】
そして、上記のように水が線状溝１０１ｂから周壁１２０側に移動することにより、工具本体１１０の側壁１１０ｂと周壁１２０とで形成される環状溝１０１ａに水が溜まる。このようにして溜まった水は、遠心力により周壁１２０に押し付けられ、これにより、環状溝１０１ａ内の水には水圧がかかり、側壁１１０ｂに形成されている複数の貫通孔１０２ａに水が勢いよく流れ込む。
【００７３】
また、貫通孔１０２ａは、側壁１１０ｂの上面側（上部側）に位置する第１の開口部２ａ１の位置が、側壁１１０ｂの下面側（底部側）に位置する第２の開口部２ａ２の位置よりも加工工具１００の回転方向Ｄｒのより前方の位置に位置する構造となっているので、加工工具１００ａが回転することで、環状溝１０１ａに溜まった水は、貫通孔１０２ａに相対的に勢いよく流れ込む。
【００７４】
その結果、工具本体１１０の側壁１１０ｂ上に供給した水は、貫通孔１０２ａから工具本体１１０の加工部材１３０と被加工物Ｐとの間に勢いよく吐出されることとなり、この勢いのある水の流れにより、加工場（特に、工具本体１１０の加工部材１３０と被加工物Ｐとの間）に溜まった切削屑が効果的に洗い流され、切削屑は水とともに屑排出管２２０から集塵装置に収集される。切削屑は水と一緒になることから、従来の切削屑をエアーによって集塵するのに対して外部に飛散することをより効果的に防止することが可能となる。
【００７５】
また、工具本体１１０の加工部材１３０と被加工物Ｐとの間に流れ込んだ水は、工具本体１１０の底部１１０ｃと被加工物Ｐとの間を通過するので、工具本体１１０の底部１１０ｃに形成されている加工部材である加工刃１３０が、底部１１０ｃと被加工物Ｐとの間を流れる水により冷却される。
【００７６】
さらに、貫通孔１０２ａから加工部材１３０と被加工物Ｐとの隙間に流れ込んだ水は、加工工具１００の加工部材１３０による被加工物Ｐの研削により発生した加工屑と混ざることで、加工屑は粉状から泥状になる。これにより、加工屑が集塵カバー２００内であまり舞い上がることなく屑排出管２２０を通して集塵装置へ吸引される。
【００７７】
さらに、加工工具１００では、工具本体１１０の側壁１１０ｂを囲むように配置されている周壁１２０は、工具本体１１０を囲む筒状体１２０ａと、筒状体１２０ａの上端から内側に迫り出した環状庇部１２０ｂとで構成されているので、液供給管２１０から工具本体１１０の側壁１１０ｂ上に供給された水が周壁１２０を乗り越えて加工工具１００の環状溝１０１ａから溢れるのを抑制することができ、集塵カバー２００内に供給された水が工具本体１１０の側壁１１０ｂの貫通孔１０２ａを通って工具本体１１０の内部に効果的に流れ込む。
【００７８】
このように、本実施形態１による加工装置１００では、被加工物Ｐと加工刃などの加工部材１３０との接触部分で生ずる加工屑を加工場から効果的に除去することができ、加工屑による加工部材１３０の加工能力の低下を抑制することが可能となる。また、工具本体１１０と被加工物Ｐとの間に水が効果的に供給され、加工屑が集塵カバー２００内および外部で舞い上がるのを防止することができ、その結果、作業者が加工屑を吸い込むことによる健康被害を軽減することができる。
【００７９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した文献は、その内容自体が具体的に本明細書に記載されているのと同様にその内容が本明細書に対する参考として援用されるべきであることが理解される。
【産業上の利用可能性】
【００８０】
本発明は、被加工物を加工したときの加工屑を効果的に加工場から除去可能な加工工具およびその加工工具を用いた加工装置を得ることができるものとして有用である。
【符号の説明】
【００８１】
１  加工装置
１００  加工工具
１０１ａ  環状溝
１０１ｂ  線状溝
１０２ａ  貫通孔
１１０  工具本体
１１０ａ  上部
１１０ｂ  側壁
１１０ｃ  底部
１２０  周壁
１２０ａ  筒状体
１２０ｂ  環状庇部
１３０  加工部材（加工刃）
２１０  液供給管
２２０  屑排出管
Ｐ  被加工物
【要約】
【課題】本発明の課題は、被加工物を加工したときの加工屑を効果的に加工場から除去可能な加工工具を得ることである。
【解決手段】本発明の加工工具は、回転軸Ａｒを有する加工工具１００であって、上部１１０ａと側壁１１０ｂと底部１１０ｃとを含むカップ形状の工具本体１１０と、側壁１１０ｂに複数の貫通孔が形成されており、複数の貫通孔のうちの１以上の貫通孔１０２ａは、上部側に位置する第１の開口部２ａ１と、底部側に位置する第２の開口部２ａ２とを備え、底部側に比べて上部側ほど加工工具の回転方向のより前方の位置に位置するように傾斜するように構成されている。
【選択図】図１【図１】
0006928406.tif 000002
【図２】
0006928406.tif 000003
【図３】
0006928406.tif 000004
【図４】
0006928406.tif 000005
【図５】
0006928406.tif 000006
【図６】
0006928406.tif 000007
【図７】
0006928406.tif 000008